(57)【特許請求の範囲】
【請求項１】
容器体の口部に装着される装着キャップと、該装着キャップの天壁部に形成された貫通孔を通じて上下動自在に配置され、上方付勢状態で起立するステムと、該ステムの上端に繋がると共に吐出口が形成された押下げヘッドと、該押下げヘッドの押下げ、復帰動作に伴い、前記容器体内の内容物を、前記ステムを通じて前記吐出口から吐出させる吐出ポンプと、を備える吐出具において、
前記装着キャップの天壁部には、前記ステムを取り囲む内筒部が立設されており、
前記押下げヘッドには、該押下げヘッドの押下げ、復帰動作に伴い、前記内筒部の外周側にて上下動自在な外筒部が垂設されており、
前記吐出具は、前記内筒部に取り付けられた環状のストローク規制部材と、ストッパー部材とを備え、
前記ストローク規制部材は、ヒンジを介して互いに揺動可能に一体連結された第１周壁部及び第２周壁部を備え、該第１周壁部及び第２周壁部のそれぞれにおける前記ヒンジと反対側の端部を互いに嵌合させることで、環状をなすように形成されており、
前記ストッパー部材は、前記内筒部に着脱自在なＣ字状の嵌合壁部を備え、
前記ストッパー部材を前記内筒部に取付けた状態では、前記内筒部の軸方向に沿って前記ストッパー部材が前記ストローク規制部材の上側に配置されるとともに、前記外筒部の下端と前記天壁部の上面との間に前記ストッパー部材と前記ストローク規制部材とが挟まれることで前記押下げヘッドの押下げを阻止する一方、
前記ストッパー部材を前記内筒部から取外した状態では、前記外筒部の下端と前記天壁部の上面との間に前記ストローク規制部材が挟まれることで前記押下げヘッドの押下げストロークを規制することを特徴とする吐出具。
【請求項２】
前記ストッパー部材は、前記ストローク規制部材と弱化部を介して一体連結されている、請求項１に記載の吐出具。
【発明の詳細な説明】
【技術分野】
【０００１】
本発明は、押下げヘッドの押下げ、復帰動作に伴い、容器体内の内容物を、ステムを通じて押下げヘッドの吐出口から吐出させる吐出ポンプを備える吐出具に関し、特に、既存の吐出ポンプに対して吐出量を容易に変更可能とすると共に、より簡素な構造にて流通過程等における不意の吐出を防止しようとするものである。
【背景技術】
【０００２】
従来、容器体の口部に装着される装着キャップと、該装着キャップの天壁部に形成された貫通孔を通じて上下動自在に配置され、上方付勢状態で起立するステムと、該ステムの上端に繋がると共に吐出口が形成された押下げヘッドと、前記押下げヘッドの押下げ、復帰動作に伴い、前記容器体内の内容物を、前記ステムを通じて前記吐出口から吐出させる吐出ポンプと、を備える吐出具が知られている（例えば、特許文献１参照）。
【先行技術文献】
【特許文献】
【０００３】
【特許文献１】特開平８−２３０９６１号公報
【発明の概要】
【発明が解決しようとする課題】
【０００４】
そして、このような従来の吐出具においては、既存の吐出ポンプに対して吐出量を変更したものを提供したい場合には、新規の吐出ポンプを製作するか、あるいは、押下げヘッドの押下げストロークを規制するための部材を吐出ポンプ内部に取り付けるといった対応がなされていた。しかしながら、このような対応では、自動ライン製造の製造工程を変更又は新設する必要があり、より容易に吐出量の変更を可能とする吐出具が求められていた。
【０００５】
また、前述したような従来の吐出具においては、押下げヘッドを覆うオーバーキャップを取り付けることで、流通過程等における不意の吐出を防止できるものの、材料の使用量を低減できるより簡素な構造とすることで、コストを削減することも求められる。
【０００６】
本発明は、前記の現状に鑑み開発されたもので、既存の吐出ポンプに対して吐出量を容易に変更可能とすると共に、より簡素な構造にて流通過程等における不意の吐出を防止することができる吐出具を提供することを目的とする。
【課題を解決するための手段】
【０００７】
すなわち、本発明の要旨構成は以下のとおりである。
１．容器体の口部に装着される装着キャップと、該装着キャップの天壁部に形成された貫通孔を通じて上下動自在に配置され、上方付勢状態で起立するステムと、該ステムの上端に繋がると共に吐出口が形成された押下げヘッドと、該押下げヘッドの押下げ、復帰動作に伴い、前記容器体内の内容物を、前記ステムを通じて前記吐出口から吐出させる吐出ポンプと、を備える吐出具において、
前記装着キャップの天壁部には、前記ステムを取り囲む内筒部が立設されており、
前記押下げヘッドには、該押下げヘッドの押下げ、復帰動作に伴い、前記内筒部の外周側にて上下動自在な外筒部が垂設されており、
前記吐出具は、前記内筒部に取り付けられた環状のストローク規制部材と、ストッパー部材とを備え、
前記ストローク規制部材は、ヒンジを介して互いに揺動可能に一体連結された第１周壁部及び第２周壁部を備え、該第１周壁部及び第２周壁部のそれぞれにおける前記ヒンジと反対側の端部を互いに嵌合させることで、環状をなすように形成されており、
前記ストッパー部材は、前記内筒部に着脱自在なＣ字状の嵌合壁部を備え、
前記ストッパー部材を前記内筒部に取付けた状態では、前記内筒部の軸方向に沿って前記ストッパー部材が前記ストローク規制部材の上側に配置されるとともに、前記外筒部の下端と前記天壁部の上面との間に前記ストッパー部材と前記ストローク規制部材とが挟まれることで前記押下げヘッドの押下げを阻止する一方、
前記ストッパー部材を前記内筒部から取外した状態では、前記外筒部の下端と前記天壁部の上面との間に前記ストローク規制部材が挟まれることで前記押下げヘッドの押下げストロークを規制することを特徴とする吐出具。
【００１０】
２．前記ストッパー部材は、前記ストローク規制部材と弱化部を介して一体連結されている、前記１の吐出具。
【発明の効果】
【００１１】
本発明によれば、ストッパー部材を内筒部に取付けた状態では、外筒部の下端と天壁部の上面との間にストッパー部材とストローク規制部材とが挟まれることで押下げヘッドの押下げを阻止する一方、ストッパー部材を内筒部から取外した状態では、外筒部の下端と天壁部の上面との間にストローク規制部材が挟まれることで押下げヘッドの押下げストロークを規制することができる。
【００１２】
したがって、本発明によれば、既存の吐出ポンプに対して吐出量を容易に変更可能とすると共に、より簡素な構造にて流通過程等における不意の吐出を防止することができる吐出具を提供することができる。
【図面の簡単な説明】
【００１３】
【図１】本発明の一実施形態に係る吐出具を示す側面図である。
【図２】図１の吐出具を示す縦断面図である。
【図３】図１の吐出具のストローク規制部材を示す図であり、（ａ）は開放状態での側面図、（ｂ）は（ａ）のＡ−Ａ断面図、（ｃ）は閉鎖状態を（ｂ）に準じて示す断面図である。
【図４】図３のストローク規制部材の変形例を図３（ｂ）〜（ｃ）に準じて示す断面図である。
【図５】図１の吐出具からストッパー部材を取外し、押下げヘッドを押し下げた状態を示す縦断面図である。
【図６】本発明の他の実施形態に係る吐出具を示す側面図である。
【図７】図６の吐出具を示す縦断面図である。
【図８】図６の吐出具のストローク規制部材及びストッパー部材を示す図であり、（ａ）は開放状態での側面図、（ｂ）は（ａ）のＢ−Ｂ断面図、（ｃ）は閉鎖状態を（ｂ）に準じて示す断面図である。
【図９】本発明の更なる他の実施形態に係る吐出具を示す一部断面側面図である。
【図１０】図９の吐出具のストローク規制部材及びストッパー部材を示す図であり、（ａ）は開放状態での側面図、（ｂ）は（ａ）のＣ−Ｃ断面図、（ｃ）は内筒部に取付けたときの状態を示す平面図である。
【発明を実施するための形態】
【００１４】
以下、図１〜図５を参照して、本発明の一実施形態に係る吐出具について詳細に例示説明する。なお、本明細書において「上下方向」とは、ステムの軸線に沿う方向を意味し、「上方」とは、ステムから見て押下げヘッドが位置する側、「下方」とはその反対側を意味するものとする。
【００１５】
図１〜図２に示すように、本実施形態に係る吐出具１は、ボトル状をなす容器体の口部（図示省略）に装着される装着キャップ２と、該装着キャップ２の天壁部２ａに形成された貫通孔２ｂを通じて上下動自在に配置され、上方付勢状態で起立するステム３と、該ステム３の上端に繋がると共に吐出口４が形成された押下げヘッド５と、該押下げヘッド５の押下げ、復帰動作に伴い、前記容器体内の内容物を、ステム３を通じて吐出口４から吐出させる吐出ポンプ６と、を備えている。
【００１６】
本実施形態では、吐出具１には、押下げヘッド５及びステム３に連係した液用ピストン７と、内部をこの液用ピストン７が上下方向に摺動する液用シリンダ８と、押下げヘッド５に連係した空気用ピストン９が内部を上下方向に摺動すると共に、装着キャップ２の内側に取付けられた空気用シリンダ１０と、液用シリンダ８からの液体と空気用シリンダ１０からの空気とが合流する気液混合室１１と、気液混合室１１と吐出口４との間に配置された発泡部材１２と、が設けられている。
【００１７】
そして、吐出具１は、容器体の口部に装着した状態で押下げヘッド５をステム３と共に押し下げて液用シリンダ８内の液体及び空気用シリンダ１０内の空気を加圧することにより、これらの液体及び空気を、気液混合室１１に移送して合流させ、発泡部材１２を通して発泡させて吐出口４から吐出させるようになっている。
【００１８】
なお、本実施形態では、液用ピストン７と液用シリンダ８とで構成される吐出ポンプ６に加え、空気用ピストン９と空気用シリンダ１０とで構成される空気用ポンプ１３も設けることで、吐出具１をフォーマーディスペンサーとして構成しているが、このような構成に限定されるものではなく、空気用ポンプ１３等を備えず、液体を泡状とすることなくそのまま吐出する構成とすることもできる。また、本実施形態では、ステム３は、押下げヘッド５と一体に成形された上側ステム３ａと、該上側ステム３ａに嵌合した下側ステム３ｂとによって構成されているが、その他の構成を採用してもよい。
【００１９】
装着キャップ２の天壁部２ａには、ステム３を取り囲む内筒部２ｃが立設されている。また、押下げヘッド５には、該押下げヘッド５の押下げ、復帰動作に伴い、内筒部２ｃの外周側にて上下動自在な外筒部１４が垂設されている。本実施形態では、外筒部１４は、押下げヘッド５と一体に成形された上側外筒部１４ａと、該上側外筒部１４ａに嵌合した下側外筒部１４ｂとによって構成されているが、その他の構成を採用してもよい。
【００２０】
また、吐出具１は、内筒部２ｃに取り付けられた環状のストローク規制部材１５と、ストッパー部材１６とを備えている。図３に示すように、ストローク規制部材１５は、ヒンジ１５ａを介して互いに揺動可能に一体連結された第１周壁部１５ｂ及び第２周壁部１５ｃを備え、該第１周壁部１５ｂ及び第２周壁部１５ｃのそれぞれにおけるヒンジ１５ａと反対側の端部を互いに嵌合させることで、環状をなすように形成されている。具体的には、第１周壁部１５ｂ側の端部に形成した鉤状の突片１５ｄに、第２周壁部１５ｃ側の端部に形成した平板状の突片１５ｅを嵌合させるようになっている。なお、このような構成に代えて、図４に示すように、第１周壁部１５ｂ側の端部に形成した突片の孔部１５ｆに、第２周壁部１５ｃ側の端部に形成した突片が有する爪部１５ｇを挿入することで、嵌合させるようにしてもよい。また、ストローク規制部材１５は、内周面に複数の縦リブ１５ｈを有している。
【００２１】
図１〜図２に示したように、ストッパー部材１６は、内筒部２ｃに着脱自在なＣ字状の嵌合壁部１６ａと、嵌合壁部１６ａに一体に成形された平面視Ｔ字状の把手１６ｂを備えている。
【００２２】
かかる構成によれば、図１〜図２に示したように、ストッパー部材１６を内筒部２ｃに取付けた状態では、外筒部１４の下端と天壁部２ａの上面との間にストッパー部材１６とストローク規制部材１５とが挟まれることで押下げヘッド５の押下げを阻止することができる。また、図５に示すように、ストッパー部材１６を内筒部２ｃから取外した状態では、外筒部１４の下端と天壁部２ａの上面との間にストローク規制部材１５が挟まれることで押下げヘッド５の押下げストロークを規制することができる。
【００２３】
また、ストローク規制部材１５は、第１周壁部１５ｂ及び第２周壁部１５ｃのそれぞれにおけるヒンジ１５ａと反対側の端部を互いに嵌合させることで、環状をなすように形成されているので、内筒部２ｃに取付けた後は容易に脱落することはなく、内筒部２ｃへの取付け状態を良好に維持することができる。
【００２４】
次に、図６〜図８を参照して、本発明の他の実施形態に係る吐出具１’について詳細に例示説明する。
図６〜図７に示すように、本実施形態に係る吐出具１’は、ストローク規制部材１７とストッパー部材１８の構成が異なる他は、図１〜図５を用いて説明した実施形態の場合と同一の構成になっている。
【００２５】
ストローク規制部材１７は、前述した実施形態の場合と同様に、図８に示すように、ヒンジ１７ａを介して互いに揺動可能に一体連結された第１周壁部１７ｂ及び第２周壁部１７ｃを備え、該第１周壁部１７ｂ及び第２周壁部１７ｃのそれぞれにおけるヒンジ１７ａと反対側の端部を互いに嵌合させることで、環状をなすように形成されている。具体的には、第１周壁部１７ｂ側の端部に形成した窪みに設けた突起１７ｄに、第２周壁部１７ｃ側の端部に形成した前記窪みと相補形状になる突片の孔部１７ｅを嵌合させるようになっている。また、ストローク規制部材１７は、内周面に複数の縦リブ１７ｆを有している。
【００２６】
また、本実施形態では、ストッパー部材１８は、ストローク規制部材１７と、周方向に等間隔で配置された複数の弱化部１９を介して一体連結されている。具体的には、ストッパー部材１８は、ストローク規制部材１７の場合と同様に、ヒンジ１８ａを介して互いに揺動可能に一体連結された第１周壁部１８ｂ及び第２周壁部１８ｃを備えている。ストッパー部材１８の第１周壁部１８ｂには、把持用突片１８ｄが形成されている。
【００２７】
かかる構成によれば、前述した実施形態の場合と同様に、図６〜図７に示したように、ストッパー部材１８を内筒部２ｃに取付けた状態では、外筒部１４の下端と天壁部２ａの上面との間にストッパー部材１８とストローク規制部材１７とが挟まれることで押下げヘッド５の押下げを阻止することができる。また、この状態から、ストッパー部材１８の把持用突片１８ｄを摘まんで引っ張り、弱化部１９を切断させることで、ストッパー部材１８を内筒部２ｃから取外すことができる。このようにストッパー部材１８を取外した状態では、外筒部１４の下端と天壁部２ａの上面との間にストローク規制部材１５が挟まれることで押下げヘッド５の押下げストロークを規制することができる。
【００２８】
このように、本実施形態によれば、ストッパー部材１８をストローク規制部材１７と弱化部１９を介して一体連結する構成としたので、ストッパー部材１８の存在により、吐出具１’が未使用であることを一目で確認することができ、いわゆるバージンシール機能を有するものとすることができる。
【００２９】
次に、図９〜図１０を参照して、本発明の他の実施形態に係る吐出具１’’について詳細に例示説明する。
図９に示すように、本実施形態に係る吐出具１’’は、ストローク規制部材２０とストッパー部材２１の構成が異なる他は、図１〜図５を用いて説明した実施形態の場合と同一の構成になっている。
【００３０】
ストローク規制部材２０は、前述した実施形態の場合と同様に、図１０に示すように、ヒンジ２０ａを介して互いに揺動可能に一体連結された第１周壁部２０ｂ及び第２周壁部２０ｃを備え、該第１周壁部２０ｂ及び第２周壁部２０ｃのそれぞれにおけるヒンジ２０ａと反対側の端部を互いに嵌合させることで、環状をなすように形成されている。具体的には、第１周壁部２０ｂ側の端部に形成した窪みに設けた突起２０ｄに、第２周壁部２０ｃ側の端部に形成した前記窪みと相補形状になる突片の孔部２０ｅを嵌合させるようになっている。また、ストローク規制部材２０は、内周面に複数の縦リブ２０ｆ及び厚肉部２０ｇを有している。
【００３１】
本実施形態では、ストッパー部材２１は、内筒部２ｃに着脱自在なＣ字状の嵌合壁部２１ａと、嵌合壁部２１ａに一体に成形された側面視Ｕ字状の把手２１ｂを備えている。また、ストッパー部材２１は、ストローク規制部材２０と弱化部２２を介して一体連結されている。
【００３２】
かかる構成によれば、前述した実施形態の場合と同様に、図９及び図１０（ｃ）に示したように、ストッパー部材２１を内筒部２ｃに取付けた状態では、外筒部１４の下端と天壁部２ａの上面との間にストッパー部材２１とストローク規制部材２０とが挟まれることで押下げヘッド５の押下げを阻止することができる。また、この状態から、ストッパー部材２１の把手２１ｂを摘まんで引っ張り、弱化部２２を切断させることで、ストッパー部材２１を内筒部２ｃから取外すことができる。このようにストッパー部材２１を取外した状態では、外筒部１４の下端と天壁部２ａの上面との間にストローク規制部材１５が挟まれることで押下げヘッド５の押下げストロークを規制することができる。
【００３３】
このように、本実施形態によれば、ストッパー部材２１をストローク規制部材２０と弱化部２２を介して一体連結する構成としたので、弱化部２２の存在により、吐出具１’’が未使用であることを確認することができ、いわゆるバージンシール機能を有するものとすることができる。また、本実施形態によれば、弱化部２２を切断させてストッパー部材２１を取外した後も、必要に応じてストッパー部材２１を内筒部２ｃに取付け、ストッパー機能を発揮させることができる。
【００３４】
前述したところは本発明の一実施形態を示したにすぎず、特許請求の範囲において、種々の変更を加えることができることは言うまでもない。
【符号の説明】
【００３５】
１，１’，１’’  吐出具
２  装着キャップ
２ａ  天壁部
２ｂ  貫通孔
２ｃ  内筒部
３  ステム
３ａ  上側ステム
３ｂ  下側ステム
４  吐出口
５  押下げヘッド
６  吐出ポンプ
７  液用ピストン
８  液用シリンダ
９  空気用ピストン
１０  空気用シリンダ
１１  気液混合室
１２  発泡部材
１３  空気用ポンプ
１４  外筒部
１４ａ  上側外筒部
１４ｂ  下側外筒部
１５  ストローク規制部材
１５ａ  ヒンジ
１５ｂ  第１周壁部
１５ｃ  第２周壁部
１５ｄ  鉤状の突片
１５ｅ  平板状の突片
１５ｆ  孔部
１５ｇ  爪部
１５ｈ  縦リブ
１６  ストッパー部材
１６ａ  嵌合壁部
１６ｂ  把手
１７  ストローク規制部材
１７ａ  ヒンジ
１７ｂ  第１周壁部
１７ｃ  第２周壁部
１７ｄ  突起
１７ｅ  孔部
１７ｆ  縦リブ
１８  ストッパー部材
１８ａ  ヒンジ
１８ｂ  第１周壁部
１８ｃ  第２周壁部
１８ｄ  把持用突片
１９  弱化部
２０  ストローク規制部材
２０ａ  ヒンジ
２０ｂ  第１周壁部
２０ｃ  第２周壁部
２０ｄ  突起
２０ｅ  孔部
２０ｆ  縦リブ
２０ｇ  厚肉部
２１  ストッパー部材
２１ａ  嵌合壁部
２１ｂ  把手
２２  弱化部
【図１】
0006352098.tif 000002
【図２】
0006352098.tif 000003
【図３】
0006352098.tif 000004
【図４】
0006352098.tif 000005
【図５】
0006352098.tif 000006
【図６】
0006352098.tif 000007
【図７】
0006352098.tif 000008
【図８】
0006352098.tif 000009
【図９】
0006352098.tif 000010
【図１０】
0006352098.tif 000011